(57)【要約】【課題】本発明は音響機器に使用される電気音響変換器および電子機器に関するものであり、電気音響変換器の信頼性や品質の向上化が課題であった。【解決手段】本発明は、ターミナル３０のストッパー２９として、ヨークや下部プレートの磁気回路と同じ硬質金属材料から構成することで、外方からストッパー２９を強化し、ターミナル３０の金属端子のバネ圧の可逆限界値を超えてしまうことなく、常時、強いバネ圧を維持することができるように構成したものである。【選択図】図１
2006013665.tif 000002
【特許請求の範囲】
【請求項１】
磁気回路に結合されたフレームと、このフレームの外周部に結合された振動板と、この振動板に結合されるとともに、その一部が前記磁気回路の磁気ギャップに配置されたボイスコイルと、このボイスコイルのリード線を結線した導電性を有する一枚のシート状の金属板を折り曲げ加工して、この金属板のバネ圧を利用して給電部と接触させるように構成したターミナルとから構成された電気音響変換器であって、このターミナルの折り曲げが金属材料の可逆限界値を超えない範囲で折り曲げ範囲を制御するように、前記磁気回路に前記磁気回路と同じ材料で設けられた突起によりストッパーを構成してなる電気音響変換器。
【請求項２】
ストッパーは、磁気回路のヨークの背面部に設けた請求項１記載の電気音響変換器。
【請求項３】
ストッパーは、磁気回路のヨークと一体に設けた請求項２記載の電気音響変換器。
【請求項４】
ストッパーは、磁気回路の下部プレートの背面部に設けた請求項１記載の電気音響変換器。
【請求項５】
ストッパーは、磁気回路の下部プレートと一体に設けた請求項４記載の電気音響変換器。
【請求項６】
ストッパーは、絶縁体で覆われた請求項１から請求項５のいずれか１つに記載の電気音響変換器。
【請求項７】
請求項１から請求項６のいずれか１つに記載の電気音響変換器を搭載した電子機器。
【発明の詳細な説明】
【技術分野】
【０００１】
本発明は各種音響機器や情報通信機器に使用される電気音響変換器および携帯電話やゲーム機器等の電子機器に関するものである。
【背景技術】
【０００２】
従来の技術を図８から図１２により説明する。図８から図１０は従来の電気音響変換器の断面図であり、携帯電話等の電子機器に搭載されるスピーカやレシーバとして用いられているものである。図１１から図１２はこの電気音響変換器を携帯電話等の電子機器に搭載した状態の断面図である。
【０００３】
図８に示すように、着磁されたマグネット１を上部プレート２およびヨーク３により挟み込んで内磁型の磁気回路４を構成している。この磁気回路４のヨーク３を接触させながらターミナル１０の一部をモールドした樹脂フレーム６に磁気回路４を圧入し、接着により結合している。
【０００４】
そして、このフレーム６の周縁部に振動板７を接着し、この振動板７にこれを駆動させるためのボイスコイル８を結合し、このボイスコイル８を磁気ギャップ５にはまり込むように結合している。その後、このボイスコイル８のリード線をターミナル１０の一方の端部に半田付けして結合している。最後に、このターミナル１０の略中央部を２つ折りに折り曲げることにより、フレーム６の外形寸法よりターミナル１０が外部にはみ出さないようにして、もう一方の端部をシステム側の給電端子として構成している。
【０００５】
ここで、このターミナル１０は、導電性を有する一枚のシート状の金属板を折り曲げ加工して、この金属板のバネ圧を利用して給電部と接触させるように構成している。そして、このターミナル１０の折り曲げが金属材料の可逆限界値を超えない範囲で、ターミナル１０のシート状の金属板の最終端を内側に折り曲げ加工してストッパー９を構成することで、折り曲げ範囲を制御している。
【０００６】
図９および図１０は図８に示すターミナル１０の状態を示した断面図であり、図８に示すターミナル１０の状態が上死点であると仮定すると、図９はターミナル１０が下死点に達した状態である。図１０は図９のターミナル１０が下死点に達した状態から、さらに過大な力が加わり、ストッパー９が変形して潰れた状態である。
【０００７】
図１１から図１２については上述の電気音響変換器を携帯電話等の電子機器に搭載した状態の断面図であり、図１１はターミナル１０がある程度曲げられて、セット側の給電部に適正なバネ圧がかかった状態である。図１２は携帯電話の落下衝撃等の外的要因により、ターミナル１０がセット側の給電部に押されて変形し、下死点に達した後に、さらに過大な力が加わり、ストッパー９が変形して潰れた状態である。
【０００８】
この場合、ストッパー９は、金属材料の可逆限界値を超えて変形しており、一度衝撃を受けると、加圧力がなくなっても元の状態に戻ることはない。
【０００９】
尚、この出願の発明に関する先行技術文献情報としては、例えば、特許文献１が知られている。
【特許文献１】特開２００３−３７８９０号公報
【発明の開示】
【発明が解決しようとする課題】
【００１０】
上述の電気音響変換器は、そのセットである携帯電話等の電子機器の信頼性の向上が市場より強く要請されている。よって、これら電子機器の信頼性の向上には、電子機器に搭載される電気音響変換器の信頼性の向上が必要不可欠である。
【００１１】
以上の背景をもとに、従来の課題について説明する。従来のこの種の電気音響変換器であるスピーカやレシーバは、そのターミナル１０の金属端子のバネ圧を発生させてシステム側の給電部と接触により結合させている。
【００１２】
しかしながら、これらのスピーカをセットに取り付ける時に、スピーカの押さえ込み寸法を大きく設定すると、ターミナル１０のストッパー９を変形させてしまい、ターミナル１０の金属端子のバネ圧の可逆限界値を超えてしまうことがある。さらに、これらの携帯電話等の電子機器を誤って落下させてしまうと、過大な衝撃力によりターミナル１０のストッパー９が潰れてしまい、ターミナル１０の金属端子のバネ圧の可逆限界値を超えてしまうことがある。これは、ストッパー９も同質の金属端子で構成されているためバネ圧を有しているが、このストッパー９もバネ圧の可逆限界値を超えてしまうことにより、永久変形を来すためである。
【００１３】
このようになると、ターミナル１０およびストッパー９のバネ圧が減少してしまうことから、セット給電部との接触による結合が不安定になり、セットに衝撃がかかったり、振動した時に接触不良を発生し、信号がとぎれてしまうという問題を抱えるものであった。
【００１４】
上述の課題は、ターミナル１０にストッパー９を形成したタイプのみならず、樹脂フレームの射出成形時において、樹脂によりストッパーを一体に成形したタイプのものにおいても発生する課題であった。このタイプのものは、衝撃により樹脂ストッパーが破壊され、ターミナルの金属端子のバネ圧の可逆限界値を超えてしまうことにより発生する。
【００１５】
以上の理由から、今後はセットに衝撃がかかったり、振動してもスピーカの信号がとぎれてしまうことのないようにターミナル１０のバネ圧が減少しない構成にすることが課題であった。
【００１６】
本発明は、上記課題を解決するもので、ターミナルのバネ圧の減少を防止して、スピーカへの安定した信号供給を実現できる優れた電気音響変換器およびそれを用いた電子機器を提供するものである。
【課題を解決するための手段】
【００１７】
上記目的を達成するために本発明は、このターミナルの折り曲げが金属材料の可逆限界値を超えない範囲にとどまるように、ストッパーの強化を図ったものである。すなわち、ターミナルのストッパーをシート状の金属板を折り曲げ加工して形成したり、樹脂により形成したりという、加圧変形や衝撃力に対して弱い材料から形成するのではなく、衝撃力に対して強い材料から形成するように構成している。
【００１８】
このストッパーの材料として、ヨークや下部プレートの磁気回路と同じ硬質金属材料で突起を形成している。この構成により、ストッパーはターミナルの変形に対して、ストッパー自体の変形や破壊を発生することなくその機能を果たすことができる。
【００１９】
このため、スピーカをセットに取り付ける時に、スピーカの押さえ込み寸法を大きく設定したり、携帯電話等の電子機器を誤って落下させ、ターミナルに過大な衝撃力が加わっても、ストッパーが変形したり、潰れてしまうことがなくなる。よって、ターミナルの金属端子のバネ圧の可逆限界値を超えてしまうことがなくなり、ターミナルのバネ圧が減少してしまうことがない。
【００２０】
ターミナルは常時、強いバネ圧を維持することができ、セット給電部との接触による結合が安定化し、セットに衝撃がかかったり、振動した時でも、接触不良を発生することがないため、信号がとぎれることなく安定化する。従って、携帯電話等の電子機器の信頼性の向上を図ることができる。
【発明の効果】
【００２１】
以上のように本発明は、ターミナルのストッパーとして、ヨークや下部プレートの磁気回路と同じ硬質金属材料で突起を形成することにより構成している。この構成により、ストッパーが変形したり、潰れたりすることなく強化され、ターミナルの金属端子のバネ圧の可逆限界値を超えてしまうことがなくなり、ターミナルは常時、強いバネ圧を維持することができ、セット給電部との接触による結合が安定化し、セットに衝撃がかかったり、振動した時でも、接触不良を発生することがないため、信号がとぎれることなく安定化する。従って、携帯電話等の電子機器の信頼性や品質の向上を図ることができる。よって、本発明は安定した接触による結合を実現できる優れた電気音響変換器を提供することができ、その工業的価値は非常に大なるものである。
【発明を実施するための最良の形態】
【００２２】
以下、本発明の実施の形態について図面を用いて説明する。
【００２３】
（実施の形態１）
以下、実施の形態１を用いて、本発明の特に請求項１から請求項３および請求項５に記載の発明について説明する。
【００２４】
図１から図３は、本発明の一実施形態の電気音響変換器であるスピーカを示したものであり、その外形が長方形タイプのスリムスピーカに適用した例について示している。図１は本発明の一実施形態の電気音響変換器の断面図であり、図２は図１におけるターミナルがストッパーにより最下位置で止められた状態での断面図である。図３は、図１の状態の斜視図である。
【００２５】
図１から図３に示すように、着磁されたマグネット２１を上部プレート２２およびストッパー２９を背面に有したヨーク２３により挟み込んで内磁型の磁気回路２４を構成している。この磁気回路２４のヨーク２３を接触させながらターミナル３０の一部をモールドした樹脂フレーム２６に磁気回路２４を圧入し、接着により結合している。
【００２６】
そして、このフレーム２６の周縁部に振動板２７を接着し、この振動板２７にこれを駆動させるためのボイスコイル２８を結合し、このボイスコイル２８を磁気ギャップ２５にはまり込むように結合している。その後、このボイスコイル２８のリード線をターミナル３０の一方の端部に半田付けして結合している。最後に、このターミナル３０の略中央部を２つ折りに折り曲げることにより、フレーム２６の外形寸法よりターミナル３０が外部にはみ出さないようにして、もう一方の端部をシステム側の給電端子として構成している。
【００２７】
ここで、このターミナル３０は金属板の折り曲げが金属材料の可逆限界値を超えない範囲で、磁気回路２４のヨーク２３の背面部にストッパー２９を構成し、折り曲げ範囲を制御している。このストッパー２９の材料としては、ヨーク２３と同じ硬質金属材料で形成されている。この構成により、ストッパー２９はターミナル３０の変形に対して、ストッパー２９自体の変形や破壊を発生することなくその機能を果たすことができる。
【００２８】
また、このヨーク２３を構成する時に、ヨーク２３と同じ硬質金属材料で一体化して同時に形成しても良い。このように、一体化して同時に形成することで、ストッパー２９を有するヨーク２３の生産性を向上させることができる。
【００２９】
また、このストッパー２９は、別体として生産し、ヨーク２３に結合して構成しても良い。
【００３０】
本実施の形態において、ヨーク２３の背面部に設けられたストッパー２９の形状としては、図３に示すように、長方形タイプのヨーク２３の両端面とその中間部に、壁面上の突起を形成し、さらに、この各々の壁面上の突起の両端に小突起を設けた構成としている。すなわち、ヨーク２３の背面部に３箇所のストッパー２９を設けた構成としている。
【００３１】
このストッパー２９の形状としては、当形状に限定されることなく、ターミナル３０のストッパーとしての役目を果たせる形状であれば良い。
【００３２】
この構成により、スピーカの携帯電話等の電子機器への取り付け時には、ターミナル３０がある程度曲げられて、電子機器側の給電部に適正なバネ圧がかかった状態で維持される。そして、スピーカを強く押さえつけて取り付けを実施しても、ストッパー２９が当たり、ターミナル３０はそれ以上動かなくなる。
【００３３】
また、携帯電話等の電子機器を誤って落下させ、ターミナル３０に過大な衝撃力が加わっても、ストッパー２９の効果により、金属材料の可逆限界値を超える変形を発生したり、潰れてしまうことがなくなる。よって、ターミナル３０の金属端子のバネ圧の可逆限界値を超えてしまうことがなくなり、ターミナル３０のバネ圧が減少してしまうことがない。
【００３４】
このため、ターミナル３０は常時、強いバネ圧を維持することができ、セット給電部との接触による結合が安定化し、セットに衝撃がかかったり、振動した時でも、接触不良を発生することがないため、信号がとぎれることなく安定化する。従って、携帯電話等の電子機器の信頼性の向上を図ることができる。
【００３５】
また、ストッパー２９は、絶縁体で覆って構成させることもできる。この理由としては、通常使用ではターミナル３０との直接の接触はない構造となっているが、落下衝撃等により過大な力が加わり、ターミナル３０が変形して２端子ともストッパー２９に接触しても、ショートが発生しないようにするためである。さらに、落下衝撃等により過大な力が加わり、ストッパー２９が電子機器の電子回路と接触しても、ショートが発生しないようにするためである。
【００３６】
（実施の形態２）
以下、実施の形態２を用いて、本発明の特に請求項４および請求項５に記載の発明について説明する。図４および図５は本発明の一実施形態のスピーカの断面図を示したものである。実施の形態１との違いについてのみ説明する。図４および図５に示すように、着磁されたマグネット２１Ａを上部プレート２２Ａおよびストッパー２９を背面に有した下部プレート２３Ａにより挟み込んで外磁型の磁気回路２４を構成している。そして、この外磁型の磁気回路２４の下部プレート２３Ａの背面部のストッパー２９により、ターミナル３０の折り曲げ範囲を制御している。
【００３７】
この構成により、内磁型の磁気回路構成の電気音響変換器のみならず、外磁型の磁気回路構成の電気音響変換器についても、ターミナル３０の永久変形対策を実現することができる。従って、携帯電話等の電子機器の信頼性の向上を図ることができる。
【００３８】
このストッパー２９の形状については、図４に示すように実施の形態１のヨーク２３にて示したような長方形タイプの下部プレート２３Ａの両端面とその中間部に壁面上の突起を形成し、さらに、この各々の壁面上の突起の両端に小突起を設けた構成としている。すなわち、下部プレート２３Ａの背面部に３箇所のストッパー２９を設けた構成としている。
【００３９】
このストッパー２９の形状としては、当形状に限定されることなく、図５に示すように、円柱状の突起としても良く、すなわちターミナル３０のストッパーとしての役目を果たせる形状であれば良い。
【００４０】
（実施の形態３）
以下、実施の形態３を用いて、本発明の特に請求項７に記載の発明について説明する。図６および図７は本発明の一実施形態の電子機器である携帯電話の要部断面図を示したものである。
【００４１】
図６および図７に示すように、請求項１から請求項６のいずれか１つに記載のスピーカ３５を搭載して携帯電話８０を構成している。
【００４２】
図６に示すように、この携帯電話８０の構成としては、スピーカ３５と電子回路４０と液晶等の表示モジュール６０等の各部品やモジュール等を外装ケース７０の内部に搭載して携帯電話８０の要部を構成している。そして、スピーカ３５のターミナル３０と電子回路４０とを、バネ圧をかけながら接触により給電させてスピーカ３５を動作させている。
【００４３】
この構成とすることにより、図７に示すようなスピーカ３５を携帯電話８０に取り付ける時に、スピーカ３５の押さえ込み寸法を大きく設定したり、携帯電話８０を誤って落下させ、ターミナル３０に過大な衝撃力が加わっても、ストッパー２９の効果によりターミナル３０が永久変形したり、潰れてしまうことがなくなる。よって、ターミナル３０の金属端子のバネ圧の可逆限界値を超えてしまうことがなくなり、ターミナル３０のバネ圧が減少してしまうことがない。
【００４４】
一方、ターミナル３０は常時、強いバネ圧を維持することができ、携帯電話８０の電子回路４０の給電部との接触による結合が安定化し、携帯電話８０に衝撃がかかったり、振動した時でも、接触不良を発生することがないため、信号がとぎれることなく安定化させることができる。よって、携帯電話等の電子機器の信頼性や品質の向上を図ることができる。
【産業上の利用可能性】
【００４５】
本発明にかかる電気音響変換器および電子機器は、信頼性や品質の向上化が必要な映像音響機器や情報通信機器、ゲーム機器等の電子機器に適用できる。
【図面の簡単な説明】
【００４６】
【図１】本発明の一実施の形態におけるスピーカの断面図
【図２】本発明の一実施の形態におけるスピーカの断面図
【図３】本発明の一実施の形態におけるスピーカの斜視図
【図４】本発明の一実施の形態におけるスピーカの断面図
【図５】本発明の一実施の形態におけるスピーカの断面図
【図６】本発明の一実施の形態における電子機器の要部断面図
【図７】本発明の一実施の形態における電子機器の要部断面図
【図８】従来のスピーカの断面図
【図９】従来のスピーカの断面図
【図１０】従来のスピーカの断面図
【図１１】従来の電子機器の要部断面図
【図１２】従来の電子機器の要部断面図
【符号の説明】
【００４７】
２１  マグネット
２１Ａ  マグネット
２２  上部プレート
２２Ａ  上部プレート
２３  ヨーク
２３Ａ  下部プレート
２４  磁気回路
２５  磁気ギャップ
２６  フレーム
２７  振動板
２８  ボイスコイル
２９  ストッパー
３０  ターミナル
３５  スピーカ
４０  電子回路
６０  表示モジュール
７０  外装ケース
８０  携帯電話
【図１】
2006013665.tif 000003
【図２】
2006013665.tif 000004
【図３】
2006013665.tif 000005
【図４】
2006013665.tif 000006
【図５】
2006013665.tif 000007
【図６】
2006013665.tif 000008
【図７】
2006013665.tif 000009
【図８】
2006013665.tif 000010
【図９】
2006013665.tif 000011
【図１０】
2006013665.tif 000012
【図１１】
2006013665.tif 000013
【図１２】
2006013665.tif 000014